【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
連続繊維の繊維材料と少なくとも１の熱可塑性ポリマーマトリックスとを含む含浸繊維材料において、少なくとも１の熱可塑性ポリマーが、ガラス転移温度がＴｇ≧８０℃である非反応性アモルファスポリマーか、又は融点Ｔｍが≧１５０℃である非反応性半結晶性ポリマーであり、Ｔｇ及びＴｆが、それぞれ規格１１３５７−２：２０１３、１１３５７−３：２０１３に従って、示差熱量分析（ＤＳＣ）によって決定され、繊維体積含有率が、ウェブ又はリボンの体積の少なくとも７０％であり、前記プリプレグ繊維材料の繊維含有率が、前記繊維材料の両面で４５〜６５体積％であり、前記プリプレグ繊維材料の多孔性レベルが１０％未満であり、
前記含浸繊維材料が非反応性液晶ポリマー（ＬＣＰ）を有さず、つまり、前記熱可塑性ポリマーの分子量がもはや有意に変化せず、含浸中のその数平均分子量（Ｍｎ）の変化が５０％未満であり、
前記含浸繊維材料が単層であり、含浸が少なくとも１の膨張で実行される、含浸繊維材料。
【請求項２】
前記材料が非柔軟性であることを特徴とする、請求項１に記載の含浸繊維材料。
【請求項３】
炭素繊維の場合の前記繊維材料中の繊維数が３０Ｋ以上であるか、又はガラス繊維の坪量が１２００Ｔｅｘ以上であることを特徴とする、請求項１又は２に記載の含浸繊維材料。
【請求項４】
前記少なくとも１の熱可塑性ポリマーが、ポリアリールエーテルケトン類（ＰＡＥＫ）、特にポリエーテルエーテルケトン（ＰＥＥＫ）；ポリアリールエーテルケトンケトン（ＰＡＥＫＫ）、特にポリエーテルケトンケトン（ＰＥＫＫ）；芳香族ポリエーテルイミド（ＰＥＩ）；ポリアリールスルホン、特にポリフェニレンスルホン（ＰＰＳＵ）；ポリアリールスルフィド、特にポリフェニレンスルフィド（ＰＰＳ）；ポリアミド（ＰＡ）、特に、場合により尿素単位で変性された半芳香族ポリアミド（ポリフタルアミド）；ＰＥＢＡ、ポリアクリレート、特にポリメチルメタクリレート（ＰＭＭＡ）；ポリオレフィン、特にポリプロピレン、ポリ乳酸（ＰＬＡ）、ポリビニルアルコール（ＰＶＡ）、及びフッ素化ポリマー、特にポリフッ化ビニリデン（ＰＶＤＦ）又はポリテトラフルオロエチレン（ＰＴＦＥ）又はポリクロロトリフルオロエチレン（ＰＣＴＦＥ）；並びにこれらの混合物から選択されることを特徴とする、請求項１から３のいずれか一項に記載の含浸繊維材料。
【請求項５】
前記少なくとも１の熱可塑性ポリマーが、ポリアミド、ＰＥＫＫ、ＰＥＩ、及びＰＥＫＫとＰＥＩとの混合物から選択されることを特徴とする、請求項１から４のいずれか一項に記載の含浸繊維材料。
【請求項６】
前記ポリアミドが、脂肪族ポリアミド、脂環式ポリアミド、及び半芳香族ポリアミド（ポリフタルアミド）から選択されることを特徴とする、請求項５に記載の含浸繊維材料。
【請求項７】
前記脂肪族ポリアミドが、ポリアミド６（ＰＡ−６）、ポリアミド１１（ＰＡ−１１）、ポリアミド１２（ＰＡ−１２）、ポリアミド６６（ＰＡ−６６）、ポリアミド４６（ＰＡ−４６）、ポリアミド６１０（ＰＡ−６１０）、ポリアミド６１２（ＰＡ−６１２）、ポリアミド１０１０（ＰＡ−１０１０）、ポリアミド１０１２（ＰＡ−１０１２）、ポリアミド１１／１０１０、ポリアミド１２／１０１０又はこれらの混合物又はこれらのコポリアミド、及びブロックコポリマーから選択され、且つ、前記半芳香族ポリアミドは、ＭＸＤ６及びＭＸＤ１０から選択される尿素単位で変性され得る半芳香族ポリアミド、又は式Ａ／ＸＴの半芳香族ポリアミドから選択される式Ｘ／ＹＡｒの半芳香族ポリアミド［式中、Ａは、アミノ酸から得られる単位、ラクタムから得られる単位、及び式（Ｃａ  ジアミン）・（Ｃｂ  二酸）に相当する単位の中から選択され、「ａ」はジアミンの炭素原子数を表し、「ｂ」は二酸の炭素原子数を表し、「ａ」及び「ｂ」はそれぞれ４〜３６の間であり、単位（Ｃａ  ジアミン）は、直鎖又は分岐状脂肪族ジアミン、脂環式ジアミン、及びアルキル芳香族ジアミンから選択され、単位（Ｃｂ  二酸）は、直鎖又は分岐状脂肪族二酸、脂環式二酸、及び芳香族二酸から選択され；
Ｘ．Ｔは、Ｃｘジアミンとテレフタル酸の重縮合によって得られる単位（ここで、ｘはＣｘジアミンの炭素原子の数を表し、ｘは６〜３６の間に含まれる）を示し、Ｔはテレフタル酸に相当し、ＭＸＤはｍ−キシリレンジアミンに相当する］であることを特徴とする、請求項６に記載の含浸繊維材料。
【請求項８】
前記繊維材料が、炭素、ガラス、炭化ケイ素、玄武岩、シリカ、天然繊維、特にフラックス又はヘンプ、リグニン、竹、サイザル麻、絹、又はセルロース、特にビスコース、或いは前記ポリマー若しくは前記ポリマー混合物がアモルファスである場合にそのガラス転移温度Ｔｇより高いか又は前記ポリマー若しくは前記ポリマー混合物が半結晶性である場合にそのＴｆより高いＴｇを有するアモルファス熱可塑性繊維、或いは前記ポリマー若しくは前記ポリマー混合物がアモルファスである場合にそのＴｇより高いか又は前記ポリマー若しくは前記ポリマー混合物が半結晶性である場合にその溶融温度Ｔｆより高いＴｆを有する半結晶性熱可塑性繊維、或いは前記繊維の２つ以上の混合物、好ましくは炭素繊維、ガラス又は炭化ケイ素の混合物、特に炭素繊維から選択される連続繊維を含むことを特徴とする、請求項１から７のいずれか一項に記載の含浸繊維材料。
【請求項９】
前記熱可塑性ポリマーが、炭素系フィラー、特にカーボンブラック若しくはカーボンナノフィラー、グラフェン及び／若しくはカーボンナノチューブ及び／若しくはカーボンナノフィブリルといった炭素系ナノフィラーから選択されるもの、又はこれらの混合物をさらに含むことを特徴とする、請求項１から８のいずれか一項に記載の含浸繊維材料。
【請求項１０】
較正リボンのロボットによる自動的適用による三次元複合部品の製造に適した前記リボンの調製のための、請求項１から９のいずれか一項に記載の含浸繊維材料の使用。
【請求項１１】
請求項１から９のいずれか一項に記載の、少なくとも１の繊維材料を含むリボン。
【請求項１２】
単一の一方向リボン又は複数の平行な一方向リボンでできていることを特徴とする、請求項１１に記載のリボン。
【請求項１３】
リボンが、スリッティングを必要とせずに、三次元ワークピースの製造におけるロボット適用に適した幅（Ｉ）及び厚み（ｅｐ）を有し、前記幅（Ｉ）は、５ｍｍ以上４００ｍｍ以下、好ましくは５〜５０ｍｍの間、さらに一層好ましくは５〜１５ｍｍの間であることを特徴とする、請求項１１又は１２に記載のリボン。
【請求項１４】
熱可塑性ポリマーが、脂肪族ポリアミドＰＡ  ６、ＰＡ  １１、ＰＡ  １２、ＰＡ  ６６、ＰＡ  ４６、ＰＡ  ６１０、ＰＡ  ６１２、ＰＡ  １０１０、ＰＡ  １０１２、ＰＡ  １１／１０１０若しくはＰＡ  １２／１０１０、又は半芳香族ポリアミド、例えばＰＡ  ＭＸＤ６及びＰＡ  ＭＸＤ１０から選択されるポリアミドであるか、或いはＰＡ  ６／６Ｔ、ＰＡ  ６Ｉ／６Ｔ、ＰＡ  ６６／６Ｔ、ＰＡ  １１／１０Ｔ、  ＰＡ  １１／６Ｔ／１０Ｔ、ＰＡ  ＭＸＤＴ／１０Ｔ、ＰＡ  ＭＰＭＤＴ／１０Ｔ、ＰＡ  ＢＡＣＴ／６Ｔ、ＰＡ  ＢＡＣＴ／１０Ｔ及びＰＡ  ＢＡＣＴ／１０Ｔ／６Ｔ、ＰＶＤＦ、ＰＥＥＫ、ＰＥＫＫ及びＰＥＩ又はこれらの混合物から選択されることを特徴とする、請求項１２から１３のいずれか一項に記載のリボン。
【請求項１５】
熱可塑性ポリマーが、ＰＡ  ６、ＰＡ  １１、ＰＡ  １２、ＰＡ  １１／１０１０若しくはＰＡ  １２／１０１０等の脂肪族ポリアミド、又はＰＡ  ６／６Ｔ、ＰＡ  ６Ｉ／６Ｔ、ＰＡ  ６６／６Ｔ、ＰＡ  １１／１０Ｔ、ＰＡ  １１／６Ｔ／１０Ｔ、ＰＡ  ＭＸＤＴ／１０Ｔ、ＰＡ  ＭＰＭＤＴ／１０Ｔ及びＰＡ  ＢＡＣＴ／１０Ｔから選択される半芳香族ポリアミドから選択されるポリアミドであり、Ｔはテレフタル酸に相当し、ＭＸＤはｍ−キシリレンジアミンに相当し、ＭＰＭＤはメチルペンタメチレンジアミンに相当し、ＢＡＣはビス（アミノメチル）シクロヘキサンに相当することを特徴とする、請求項１４に記載のリボン。
【請求項１６】
三次元複合部品の製造における、請求項１１から１５のいずれか一項に記載のリボンの使用。
【請求項１７】
前記複合部品の前記製造が、輸送、石油及びガス、ガス貯蔵、航空、船舶及び鉄道；風力、ハイドロタービン、エネルギー貯蔵装置、ソーラーパネルから選択される再生可能エネルギー；断熱パネル；スポーツ及びレジャー、健康医療、並びにエレクトロニクスの分野に関することを特徴とする、請求項１６に記載の使用。
【請求項１８】
請求項１１から１５のいずれか一項に記載の含浸繊維材料の少なくとも１の一方向リボンの使用の結果として得られることを特徴とする三次元複合部品。